(57)【要約】【課題】  簡単な構成により、液晶パネル面での輝度差の低減を図るようにしたバックライト装置およびこのバックライト装置を備えた液晶表示装置を提供することを目的とする。【解決手段】  ランプユニット５は、屈曲型蛍光ランプ５ａ、５ｂを２本１組とする。ランプユニット５は、直管部５１−５１の間隔が広い幅広の屈曲型蛍光ランプ５ａと、直管部５１−５１の間隔が、幅広の屈曲型蛍光ランプ５ａの間隔より狭い幅狭の屈曲型蛍光ランプ５ｂとからなり、幅広の屈曲型蛍光ランプ５ａは、直管部５１と曲がり部５２により囲まれる空間に、幅狭の屈曲型蛍光ランプ５ｂを配置することができるスペースＳを備え、このスペースＳに幅狭の屈曲型蛍光ランプ５ｂを、当該幅狭の屈曲型蛍光ランプ５ｂの外部接続部５３が、幅広の屈曲型蛍光ランプ５ａの曲がり部５２に向かい合うように設ける。【選択図】図４
2009093886.tif 000002
【特許請求の範囲】
【請求項１】
画像情報を表示する液晶パネルを背面から照射する光源部と、この光源部と前記液晶パネルとの間に配設され、前記光源部から出射された出射光を均一にする光学系部材を有する光学部と、前記光源部を内部に配設したリアフレームとを備えたバックライト装置において、
前記光源部は、屈曲型蛍光ランプを２本１組として横方向に寝かせたランプユニットを有し、前記屈曲型蛍光ランプは、直管部と曲がり部とからなるＵ字状に屈曲したガラスランプ管と、このガラスランプ管の前記直管部の端部に設けられた外部接続部とを更に備え、ランプユニットは、前記直管部の間隔が広い幅広の屈曲型蛍光ランプと、前記直管部の間隔が、前記幅広の屈曲型蛍光ランプの間隔より狭い幅狭の屈曲型蛍光ランプとからなり、前記幅広の屈曲型蛍光ランプは、当該幅広の屈曲型蛍光ランプの前記直管部と曲がり部により囲まれる空間に、前記幅狭の屈曲型蛍光ランプを配置することができるスペースを備え、このスペースに前記幅狭の屈曲型蛍光ランプを、当該幅狭の屈曲型蛍光ランプの前記外部接続部が、前記幅広の屈曲型蛍光ランプの前記曲がり部に向かい合うように設け、それぞれの屈曲型蛍光ランプの外部接続部が互いに反対側に位置するように配設したことを特徴とするバックライト装置。
【請求項２】
前記バックライト装置は、前記ランプユニットを複数セット更に備え、前記ランプユニットは、前記屈曲型蛍光ランプが同じ配列順序で並設されていることを特徴とする請求項１に記載のバックライト装置。
【請求項３】
前記ランプユニットは、前記屈曲型蛍光ランプの相対する直管部の間隔が、全て同じ間隔となるように、前記幅広の屈曲型蛍光ランプと、前記幅狭の屈曲型蛍光ランプとを配設したことを特徴とする請求項１または請求項２に記載のバックライト装置。
【請求項４】
画像情報を表示する液晶パネルを背面から照射する光源部と、この光源部と前記液晶パネルとの間に配設され、前記光源部から出射された出射光を均一にする光学系部材を有する光学部と、前記光源部を内部に配設したリアフレームとからなるバックライト装置を備えた液晶表示装置において、
前記光源部は、屈曲型蛍光ランプを２本１組として横方向に寝かせたランプユニットを有し、前記屈曲型蛍光ランプは、直管部と曲がり部とからなるＵ字状に屈曲したガラスランプ管と、このガラスランプ管の前記直管部の端部に設けられた外部接続部とを更に備え、ランプユニットは、前記直管部の間隔が広い幅広の屈曲型蛍光ランプと、前記直管部の間隔が、前記幅広の屈曲型蛍光ランプの間隔より狭い幅狭の屈曲型蛍光ランプとからなり、前記幅広の屈曲型蛍光ランプは、当該幅広の屈曲型蛍光ランプの前記直管部と曲がり部により囲まれる空間に、前記幅狭の屈曲型蛍光ランプを配置することができるスペースを備え、このスペースに前記幅狭の屈曲型蛍光ランプを、当該幅狭の屈曲型蛍光ランプの前記外部接続部が、前記幅広の屈曲型蛍光ランプの前記曲がり部に向かい合うように設け、それぞれの屈曲型蛍光ランプの外部接続部が互いに左右の反対側に位置するように配設したことを特徴とする液晶表示装置。
【発明の詳細な説明】
【技術分野】
【０００１】
本発明は、例えば、液晶表示装置の液晶パネルを背面から照射する直下型のバックライト装置およびこのバックライト装置を備えた液晶表示装置に関し、特に、簡単な構成により、液晶パネル面での輝度差の低減を図るようにしたものである。
【背景技術】
【０００２】
例えば、液晶型テレビジョン、計器表示装置、などに用いられる液晶表示装置にあっては、バックライト装置の明るさがより均一であることが強く要望される傾向にある。
【０００３】
従来のこの種バックライト装置としては、陰極管蛍光ランプ（以下単に、「蛍光ランプ」と称す。）の形状や配置の向きによって種々のものが提案されている。例えば、バックライト装置の光源部として、管長の異なる屈曲型蛍光ランプで構成し、各屈曲型蛍光ランプは、縦方向上下対称に配置し、屈曲型蛍光ランプ毎に印加電圧を制御するようにしたものがある(例えば、特許文献１）。また、複数の屈曲型蛍光ランプを並設し、屈曲型蛍光ランプの輝度ムラを補償するために、拡散部との距離を、屈曲型蛍光ランプの長手方向で変化するようにしたものがある（特許文献２参照）。更には、複数の屈曲型蛍光ランプを互いに向き合うように配設し、同じ方向に配設したもの同士を直列接続して同一電源から給電するようにしたものがある(例えば、特許文献３３参照）。
【特許文献１】特開２００７−４０２６号公報
【特許文献２】特開２００６−２５９４１５号公報
【特許文献３】特表２０００−５０３４６３号公報
【発明の開示】
【発明が解決しようとする課題】
【０００４】
ところで、最近の液晶表示装置では、薄型テレビジョンやパーソナルコンピュータの普及に伴い、高輝度化，大画面化に対する要望や液晶表示装置の特徴である薄型，軽量，低消費電力に対する要求が益々強くなってきた。このため、輝度を上げるために蛍光ランプの点灯周波数を高くすることで対応してきたが、特に、点灯周波数が高くなると、蛍光ランプからリフレクタやリアフレーム（シャーシ）などへの漏れ電流が大きくなる。また、一般的に、蛍光ランプの給電部（外部接続部）から遠ざかるにしたがって漏れ電流は増加し、この漏れ電流が大きくなると暗くなる。
【０００５】
しかし、前述の特許文献１記載の構成では、各屈曲型蛍光ランプは、横方向において、同一方向から給電されているので、給電方向から曲がり部に近付くにしたがって、漏れ電流が増加し、暗くなり、左右に輝度ムラ生じる他、屈曲型蛍光ランプ毎に印加電圧を制御しているの、制御手段などが複雑となるなどといった問題があった。
【０００６】
また、特許文献２記載の構成では、屈曲型蛍光ランプと拡散部との距離が大きくなり、バックライト装置として厚みが増し、この種装置の軽量小型化を損なうこととなる他、明るい方の屈曲型蛍光ランプを遠くしているので、屈曲型蛍光ランプの光量の有効利用が図れないなどといった問題があった。更には、特許文献３記載の構成では、複数の屈曲型蛍光ランプを直列に接続して同一電源から給電しているので、給電部である外部接続部から遠ざかるにしたがって、漏れ電流が増加し、バックライト装置全体として輝度ムラが生じるなどいった問題があった。
【０００７】
本発明は、上述した問題を解決するためになされたものであり、簡単な構成により、液晶パネル面での輝度差の低減を図るようにしたバックライト装置およびこのバックライト装置を備えた液晶表示装置を提供することを目的とする。
【課題を解決するための手段】
【０００８】
かかる目的を達成するため、本発明では、画像情報を表示する液晶パネルを背面から照射する光源部と、この光源部と液晶パネルとの間に配設され、光源部から出射された出射光を均一にする光学系部材を有する光学部と、光源部を内部に配設したリアフレームとを備えたバックライト装置において、光源部は、屈曲型蛍光ランプを２本１組として横方向に寝かせたランプユニットを有し、屈曲型蛍光ランプは、直管部と曲がり部とからなるＵ字状に屈曲したガラスランプ管と、このガラスランプ管の直管部の端部に設けられた外部接続部とを更に備え、ランプユニットは、直管部の間隔が広い幅広の屈曲型蛍光ランプと、直管部の間隔が、幅広の屈曲型蛍光ランプの間隔より狭い幅狭の屈曲型蛍光ランプとからなり、幅広の屈曲型蛍光ランプは、当該幅広の屈曲型蛍光ランプの直管部と曲がり部により囲まれる空間に、幅狭の屈曲型蛍光ランプを配置することができるスペースを備え、このスペースに幅狭の屈曲型蛍光ランプを、当該幅狭の屈曲型蛍光ランプの外部接続部が、幅広の屈曲型蛍光ランプの曲がり部に向かい合うように設け、それぞれの屈曲型蛍光ランプの外部接続部が互いに左右の反対側に位置するように配設する。
【０００９】
この構成によれば、光源部を構成するランプユニットは、直管部の間隔が広い幅広の屈曲型蛍光ランプと、直管部の間隔が、幅広の屈曲型蛍光ランプの間隔より狭い幅狭の屈曲型蛍光ランプとからなり、幅広の屈曲型蛍光ランプは、直管部と曲がり部により囲まれる空間に、幅狭の屈曲型蛍光ランプを配置することができるスペースを備え、このスペースに幅狭の屈曲型蛍光ランプを、当該幅狭の屈曲型蛍光ランプの外部接続部が、幅広の屈曲型蛍光ランプの曲がり部に向かい合うように設け、それぞれの屈曲型蛍光ランプの外部接続部が互いに反対側に位置するように配設している。従って、隣接する屈曲型蛍光ランプは、横方向において互いに反対側から給電されているので、漏れ電流は、隣接する屈曲型蛍光ランプにおいて、左右略対照となる。この結果、上下方向において、明るい部分と暗い部分が隣接し、結果的に相殺され輝度ムラが解消され、バックライト装置として、より均一な輝度の照明が可能となる。
【００１０】
また、本発明においては、バックライト装置は、ランプユニットを複数セット更に備え、ランプユニットは、屈曲型蛍光ランプが同じ配列順序で並設する。この構成によれば、ランプユニットを、同じ配列順序で複数群並設すれば、極めて簡単にこの種装置の大型化に対応することができるので、都合が良い。
【００１１】
また、本発明においては、ランプユニットは、屈曲型蛍光ランプの相対する直管部の間隔が、全て同じ間隔となるように、幅広の屈曲型蛍光ランプと、幅狭の屈曲型蛍光ランプとを配設する。
【００１２】
この構成によれば、ランプユニットは、屈曲型蛍光ランプの相対する直管部の間隔が、全て同じ間隔となるように、幅広の屈曲型蛍光ランプと、幅狭の屈曲型蛍光ランプとを配設している。従って、バックライト装置として、より均一な輝度の照明が可能となり、都合が良い。
【００１３】
更に、本発明においては、画像情報を表示する液晶パネルを背面から照射する光源部と、この光源部と液晶パネルとの間に配設され、光源部から出射された出射光を均一にする光学系部材を有する光学部と、光源部を内部に配設したリアフレームとからなるバックライト装置を備えた液晶表示装置において、光源部は、屈曲型蛍光ランプを２本１組として横方向に寝かせたランプユニットを有し、屈曲型蛍光ランプは、直管部と曲がり部とからなるＵ字状に屈曲したガラスランプ管と、このガラスランプ管の直管部の端部に設けられた外部接続部とを更に備え、ランプユニットは、直管部の間隔が広い幅広の屈曲型蛍光ランプと、直管部の間隔が、幅広の屈曲型蛍光ランプの間隔より狭い幅狭の屈曲型蛍光ランプとからなり、幅広の屈曲型蛍光ランプは、当該幅広の屈曲型蛍光ランプの直管部と曲がり部により囲まれる空間に、幅狭の屈曲型蛍光ランプを配置することができるスペースを備え、このスペースに幅狭の屈曲型蛍光ランプを、当該幅狭の屈曲型蛍光ランプの外部接続部が、幅広の屈曲型蛍光ランプの曲がり部に向かい合うように設け、それぞれの屈曲型蛍光ランプの外部接続部が互いに左右の反対側に位置するように配設する。
【００１４】
この構成によれば、光源部を構成するランプユニットは、直管部の間隔が広い幅広の屈曲型蛍光ランプと、直管部の間隔が、幅広の屈曲型蛍光ランプの間隔より狭い幅狭の屈曲型蛍光ランプとからなり、幅広の屈曲型蛍光ランプは、直管部と曲がり部により囲まれる空間に、幅狭の屈曲型蛍光ランプを配置することができるスペースを備え、このスペースに幅狭の屈曲型蛍光ランプを、当該幅狭の屈曲型蛍光ランプの外部接続部が、幅広の屈曲型蛍光ランプの曲がり部に向かい合うように設け、それぞれの屈曲型蛍光ランプの外部接続部が互いに反対側に位置するように配設している。従って、隣接する屈曲型蛍光ランプは、横方向において互いに反対側から給電されているので、漏れ電流は、隣接する屈曲型蛍光ランプにおいて、左右略対照となる。この結果、上下方向において、明るい部分と暗い部分が隣接し、結果的に相殺され輝度ムラが解消され、バックライト装置として、より均一な輝度の照明が可能となり、液晶パネル面での輝度差の
低減を図ることができ、より鮮明な画像を表示することができる液晶表示装置を得ることができる。
【発明の効果】
【００１５】
本発明によれば、簡単な構成により、液晶パネル面での輝度差の低減を図るようにしたバックライト装置およびこのバックライト装置を備えた液晶表示装置を得ることができる。
【発明を実施するための最良の形態】
【００１６】
（第１実施形態）
以下、本発明の一実施形態を図１乃至図５に基づいて説明する。図１は、本発明の一実施形態に係るバックライト装置を有する液晶表示装置を用いた液晶テレビジョンの概略構成を示すブロック図、図２は、図１に示す液晶テレビジョンの概略構成を示す正面図である。図３は、バックライト装置の概略構成を示す側面図、図４は、図３に示す光源部の配置構成を示す正面図、図５は、図４に示す屈曲型蛍光ランプの概略構成を示す一部を断面した断面図である。
【００１７】
図１に示すように、例えば、地上デジタルのテレビ放送が受信できる液晶テレビジョン１は、テレビジョン受信手段１１と、このテレビジョン受信手段１１からの出力信号に基づいて画像情報を表示する液晶表示装置２と、テレビジョン受信手段１１からの出力信号に基づいて音声を発するスピーカなどからなる音声部１２と、装置の全体的な制御を統括して行う制御手段１３と、各部に電力を供給する電源部１４と、操作パネル１５と、これらテレビジョン受信手段１１、液晶表示装置２、音声部１２、制御手段１３および電源部１４などを収納する筐体１６とから構成されている。
【００１８】
液晶テレビジョン１は、例えば、図２に示す厚みの薄い略矩形状の筐体１６により構成されている。筐体１６は、例えば、スタンド機構１７などにより略鉛直（垂直）に正立され、その正面側に矩形状の開口１６１が設けられている。開口１６１には、画像情報を表示する表示手段である、液晶表示装置２の表示面である液晶パネル２１が嵌め込まれ、この液晶パネル２１において映像などの画像を表示することが可能となっている。また、例えば、液晶表示装置２の下方には、音声部であるスピーカ１２が配設されている。
【００１９】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Ｔｒａｎｓｐｏｒｔ  Ｓｔｒｅａｍ）デコーダー１１３と、映像データを復号して映像信号を出力するビデオデコーダー１１４と、音響データを復号して音声信号を出力するオーディオデコーダー１１５とから構成されている。
【００２０】
液晶表示装置２は、液晶パネル２１と、パネル駆動回路２２と、バックライト装置３と、インバータ回路４とから構成されている。パネル駆動回路２２は、ビデオデコーダー１１４から入力されたＲＧＢ信号に基づき、液晶パネル２１の画素数（横縦比・ｍ：ｎ）に合わせたスケーリング処理を行い、液晶パネル２１に表示する１画面分の画像データを生成する。そして、この生成された画像データを液晶パネル２１に出力する。バックライト装置３は、液晶パネル２１の背面に設置され、後述するように、屈曲型蛍光ランプなどからなる光源部３１（図３参照）を備え、液晶パネル２１の背面から光を照射する。インバータ回路４は、例えば、整流器や昇圧用の変圧器などを備え、電源部１４から供給された直流電圧を、所望の高周波数の交流電圧に変換するとともに、昇圧し、当該交流電圧をバックライト装置３の光源部３１に給電し、光源部３１を点灯させる。
【００２１】
制御手段１３は、装置の全体的な制御を統括して行うマイクロコンピュータ（マイクロコントローラ）から構成されている。この制御手段１３には、作業用のメモリ空間を提供するＲＡＭ（Ｒａｎｄｏｍ  Ａｃｃｅｓｓ  Ｍｅｍｏｒｙ）１７と、制御プログラムや制御データが格納される不揮発性メモリ１８などが接続されている。操作パネル１５には、複数の操作ボタンやリモコン受信部１５１が設けられ外部からの指示操作を受け付けるように構成されている。これにより、制御手段１３は、操作パネル１５およびリモコン受信部１５１を介してリモコンＲから入力される種々のコマンド信号に応じて各部に制御信号を発して所定の動作を行わせる。なお、ＲＡＭ１７や不揮発性メモリ１８はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダー１１３においてデコードされて制御手段１３へ送られるようになっている。
【００２２】
かかる構成により、ユーザは、例えば、筐体１６に設けられた操作パネル１５或いはリモコンＲを操作し、所望のチャンネルに合わせることにより、液晶表示装置２の液晶パネル２１に表示される画像を観ることができ、同時にスピーカ１２から音声を聴くことができる。
【００２３】
而して、本発明に従い、バックライト装置３は、図３乃至図５に示すように、画像情報を表示する液晶パネル２１を背面から照射する光源部３１と、この光源部３１と液晶パネル２１との間に配設され、光源部３１から出射された出射光を均一にする光学系部材を有する光学部３２と、光源部３１を内部に配設したリアフレーム３３とから構成されている。光源部３１とリアフレーム３３の内面との間には、必要に応じてリフレクタ（反射板）３４が配設されている。リアフレーム３３は、例えば、金属板からなり、プレス加工により断面形状がコ字状、或いは箱状に製作されている。
【００２４】
光源部３１は、図示する例では、例えば、屈曲型蛍光ランプ５ａ、５ｂを２本１組として、横方向に寝かせたランプユニット５から構成されている。屈曲型蛍光ランプ５ａ、５ｂは、直管部５１と曲がり部５２とからなるＵ字状に屈曲したガラスランプ管５Ｔと、このガラスランプ管５Ｔの直管部５１の端部に設けられた外部接続部５３とを備えている。そして、ランプユニット５は、直管部５１−５１の間隔が広い幅Ｌに設定された幅広の屈曲型蛍光ランプ５ａと、直管部５１−５１の間隔が、幅広の屈曲型蛍光ランプ５ａの間隔Ｌより狭い幅Ｌｓに設定された幅狭の屈曲型蛍光ランプ５ｂとからなり、幅広の屈曲型蛍光ランプ５ａは、直管部５１−５１と曲がり部５２により囲まれる空間に、幅狭の屈曲型蛍光ランプ５ｂを配置することができるスペースＳを備え、このスペースＳに幅狭の屈曲型蛍光ランプ５ｂを、当該幅狭の屈曲型蛍光ランプ５ｂの外部接続部５３が、幅広の屈曲型蛍光ランプ５ａの曲がり部５２に向かい合うように設け、それぞれの屈曲型蛍光ランプ５ａ、５ｂの外部接続部５３、５３が互いに左右の反対側に位置するように配設して構成されている。
【００２５】
そして、左右の反対側に位置する外部接続部５３、５３は、それぞれリアフレーム３３の背面の左右に設けられたインバータ用プリント回路基板４１に実装されたインバータ回路４に、リアフレーム３３の側方部分を経由するリード線６ａ、６ｂを介して電気的に接続されている。また、リアフレーム３３の背面には、制御手段１３などが実装された主プリント回路基板８が装着されている。
【００２６】
図示する例では、屈曲型蛍光ランプ５ｂ（５ａ）は、図５に示すように、電極を兼ねた外部接続部５３、５３を有するものを用いたものである。即ち、ガラスランプ管５Ｔの内壁に蛍光膜５４を形成し、ガラスランプ管５Ｔの内部に１種類以上の希ガス、または水銀および１種類以上の希ガスを封入し、ガラスランプ管５Ｔの両端５１ｅを閉塞し、そのガラスランプ管５Ｔの両端５１ｅの外面に電極を設けて外部接続部５３、５３を形成したものである。
【００２７】
また、バックライト装置３としては、ランプユニット５を複数セット、図示する例では、２セット備え、これらランプユニット５は、屈曲型蛍光ランプ５ａ、５ｂの配置が、隣接するランプユニット５で同じ配列順序となるように並設したものである。この構成によれば、ランプユニット５を、同じ配列順序で複数セット並設すれば、極めて簡単にこの種装置の大型化に対応することができるので、都合が良い。
【００２８】
また、ランプユニット５は、屈曲型蛍光ランプ５ａ、５ｂの相対する直管部５１−５１の間隔が、全て同じ間隔Ｌｓとなるように、幅広の屈曲型蛍光ランプ５ａと、幅狭の屈曲型蛍光ランプ６ｂとを配設する。この場合、幅狭の屈曲型蛍光ランプ６ｂの直管部５１−５１の間隔Ｌｓに対して、幅広の屈曲型蛍光ランプ５ａの直管部５１−５１の間隔Ｌを、直管部５１の直径をｔとしたとき、Ｌ＝（３×Ｌｓ）＋（２×ｔ）に選定すればよい。この構成によれば、ランプユニット５は、屈曲型蛍光ランプ５ａ、５ｂの相対する直管部５１−５１の間隔が、全て同じ間隔Ｌｓとなるように、幅広の屈曲型蛍光ランプ５ａと、幅狭の屈曲型蛍光ランプ５ｂとを配設しているので、バックライト装置３として、より均一な輝度の照明が可能となり、都合が良い。
【００２９】
光学部３２は、光源部３１から出射された出射光を均一に拡散する機能を有しており、例えば、各種の光学系部材を備えている。図示する例では、この光学系部材としては、例えば、プリズムシート７１、拡散シート７２および拡散板７３から構成されている。プリズムシート７１は、液晶パネル２１に向かって進行する光を透過するとともに集光する機能を有している。また、拡散シート７２は、液晶パネル２１に向かって進行する出射光を透過するとともに拡散する機能を有している。また、拡散板７３は、光源部３１から照射された出射光を液晶パネル２１の表示面に向けて均一に拡散する機能を有している。これらプリズムシート７１、拡散シート７２および拡散板７３は、拡散板７３の光源部３１側に配設された光学部用フレーム７４と、図示しないベゼルとにより、例えば、ネジなどからなる締結具により締め付けられている。なお、光学部用フレーム７４は、前述のリアフレーム３３と一体に構成しても良いのは勿論である。
【００３０】
以上の構成による本実施形態によれば、光源部３１を構成するランプユニット５は、直管部５１−５１の間隔が広い幅広の屈曲型蛍光ランプ５ａと、直管部５１−５１の間隔Ｌｓが、幅広の屈曲型蛍光ランプ５ａの間隔Ｌより狭い幅狭の屈曲型蛍光ランプ５ｂとからなり、幅広の屈曲型蛍光ランプ５ａは、直管部５１−５１と曲がり部５２により囲まれる空間に、幅狭の屈曲型蛍光ランプ５ｂを配置することができるスペースＳを備え、このスペースＳに幅狭の屈曲型蛍光ランプ５ｂを、当該幅狭の屈曲型蛍光ランプ５ｂの外部接続部５３が、幅広の屈曲型蛍光ランプ５ａの曲がり部５２に向かい合うように設け、それぞれの屈曲型蛍光ランプ５ａ、５ｂの外部接続部５３が互いに反対側に位置するように配設している。従って、隣接する屈曲型蛍光ランプ５ａ、５ｂは、横方向において互いに反対側から給電されているので、漏れ電流は、隣接する屈曲型蛍光ランプ５ａ、５ｂにおいて、左右略対照となる。この結果、上下方向において、明るい部分と暗い部分が隣接し、結果的に相殺され輝度ムラが解消され、バックライト装置３として、より均一な輝度の照明が可能となる。
【００３１】
更に、本実施形態によれば、インバータ回路４は、リアフレーム３３の背面の左右にそれぞれ配設したインバータプリント配線基板４１に実装され、各屈曲型蛍光ランプ５ａ、５ｂの外部接続部５３は、それぞれ近接した側に配設されたインバータ回路４にリード線６ａ、６ｂを介して電気的に接続されている。従って、発熱を伴うインバータ回路４が左右にあるので、インバータ回路４による発熱は、半減され速やかに上方に排出され、各屈曲型蛍光ランプ５ａ、５ｂの周囲の温度上昇を抑制することができ、都合がよい。
【００３２】
（第２実施形態）
次に、本発明の他の実施形態について図６および図７を参照しながら説明する。図６は、本発明の他の実施形態に係るバックライト装置の光源部の配置構成を示す正面図、図７は、図６に示す屈曲型の蛍光ランプの概略構成を示す一部を断面した断面図である。なお、図６および図７において、上述した図１乃至図５と同じ符号を付した部分は、略同一のものを示すため、ここでは詳細な説明は省略する。以下、上述した第１実施形態との相違点を中心に説明する。
【００３３】
本実施形態では、図６に示すように、ランプユニット５を２セット備え、これらランプユニット５は、屈曲型蛍光ランプ５ａ、５ｂの配置が、隣接するランプユニット５、５が逆の配列順序となるように並設したものである。また、屈曲型の蛍光ランプ５ａ、５ｂとしては、例えば、図７に示すように、ガラスランプ管５Ｔの内壁に蛍光膜５４を形成し、ガラスランプ管５Ｔの内部に１種類以上の希ガス、または水銀および１種類以上の希ガスを封入し、ガラスランプ管５Ｔの両方の端部５１ｅに導入線５５を気密に封着し、ガラスランプ管５Ｔの外部において導入線５５の端部に給電用のリード線６ａ（６ｂ）を接続できるようにして外部接続部５３を形成したものである。また、ガラスランプ管５Ｔの内部においては、導入線５４の端部に電極５６が接続されている。
【００３４】
以上の構成による本実施形態よれば、上述した第１実施形態と同様の作用効果を奏する他、ランプユニット５を、配列する場合に、その配列順序を特に考慮することなく、複数セット並設すれば、極めて簡単にこの種装置の大型化に対応することができるので、都合が良い。
【００３５】
なお、上述した各実施形態は、本発明の好適な実施例であるが、本発明はこれに限定されるものではなく、本発明の要旨を逸脱しない範囲において、種々変形実施可能である。
【００３６】
例えば、上述した実施形態では、液晶表示装置２を、液晶テレビジョン１に用いた場合について詳述したが、他の計器表示装置などに本発明を適用してもよいのは、勿論である。
【図面の簡単な説明】
【００３７】
【図１】本発明の一実施形態に係るバックライト装置を有する液晶表示装置を用いた液晶テレビジョンの概略構成を示すブロック図である。
【図２】図１に示す液晶テレビジョンの概略構成を示す正面図である。
【図３】バックライト装置の概略構成を示す側面図である。
【図４】図３に示す光源部の配置構成を示す正面図である。
【図５】図４に示す屈曲型蛍光ランプの概略構成を示す一部を断面した断面図である。
【図６】本発明の他の実施形態に係るバックライト装置の光源部の配置構成を示す正面図である。
【図７】図６に示す屈曲型の蛍光ランプの概略構成を示す一部を断面した断面図である。
【符号の説明】
【００３８】
１      液晶テレビジョン
２      液晶表示装置
２１    液晶パネル
３      バックライト装置
３１    光源部
３２    光学部
３３    リアフレーム
４      インバータ回路
４１    インバータ用プリント回路基板
５      ランプユニット
５ａ    屈曲型蛍光ランプ（幅広）
５ｂ    屈曲型蛍光ランプ（幅狭）
５Ｔ    ガラスランプ管
５１    直管部
５１ｅ  端部
５２    曲がり部
５３    外部接続部
Ｓ      スペース
Ｌ      間隔
Ｌｓ    間隔
６ａ    リード線
６ｂ    リード線
Ｓ      スペース
【図１】
2009093886.tif 000003
【図２】
2009093886.tif 000004
【図３】
2009093886.tif 000005
【図４】
2009093886.tif 000006
【図５】
2009093886.tif 000007
【図６】
2009093886.tif 000008
【図７】
2009093886.tif 000009